【手続補正書】
【提出日】平成19年5月30日(2007.5.30)
【手続補正１】
【補正対象書類名】特許請求の範囲
【補正対象項目名】全文
【補正方法】変更
【補正の内容】
【特許請求の範囲】
【請求項１】
（ａ）（１）少なくとも一つのガス注入ポートと（２）遮断弁を含んでいるノズルとを有している射出成形用スクリューの外筒、及び（ｂ）該外筒の中の射出成形用スクリューとの組合せ体であって：
該射出成形用スクリューが第一端部と、第二端部と、長手ボデーと、圧力保持要素とを具備していて、
該第一端部は、駆動手段と係合するようになっており；
該第二端部は、スクリューチップと係合するようになっていて；
該長手ボデーは、該第一端部と該第二端部との間で、該射出成形用スクリューの全長に沿って、軸方向に延在しており、かつ第一ステージ部分と第二ステージ部分とを備えていて、
該第一ステージ部分は、少なくとも一つの物質を最初に受け入れるようになっており、かつ該少なくとも一つの物質を該第二ステージ部分へ送るようになっていて、該第一ステージ部分が、該第一ステージ部分に沿ってヘリカル状に延伸する少なくとも一つのねじ山を含んでおり、該少なくとも一つのねじ山は、少なくとも一つのチャンネルを形成していて、該少なくとも一つのチャンネルを介して、該少なくとも一つの物質が、該第一ステージ部分に沿って該第二ステージ部分に送られており、
該第二ステージ部分は、少なくとも一つの混合区画を含んでいて、かつ該第一ステージ部分から送られてきた該少なくとも一つの物質を該スクリューチップに送るようになっており、該少なくとも一つの混合区画は、該第一ステージ部分から送られてきた該少なくとも一つの物質を混合し、かつ混合した該少なくとも一つの物質を押出し用の該スクリューチップに送っており、少なくとも一の流体が、加工装置の少なくとも一つの注入ポートにより、該第一ステージ部分から送られてきた該少なくとも一つの物質に導入されていて；
該圧力保持要素は、該第二ステージ部分における圧力損失を低減するために、該第一ステージ部分と該第二ステージ部分との間に設置されており；
該少なくとも一つのガス注入ポートが該射出成形用スクリューの該第二ステージ部分近傍に位置している；
組合せ体。
【請求項２】
該長手ボデーの該第一ステージ部分が、複数の区画を備えている、請求項１に記載の組合せ体。
【請求項３】
該第一ステージ部分の該複数の区画が、供給区画と、転移区画と、計量区画とを含んでいて、該供給区画は該第一端部に最隣接して設置されており、該転移区画は該供給区画と該計量区画との中間に設置されていて、該供給区画と該転移区画と該計量区画との各々は谷の径を有している、請求項２に記載の組合せ体。
【請求項４】
該計量区画の該谷の径が、該転移区画の該谷の径より大きくて、かつ該転移区画の谷の径は、該供給区画の谷の径より大きい、請求項３に記載の組合せ体。
【請求項５】
該計量区画の谷の径が、該混合区画の谷の径とほぼ同一である、請求項３に記載の組合せ体。
【請求項６】
該計量区画の谷の径と該混合区画の谷の径との各々が、該第一ステージ部分と該第二ステージ部分との間に設置された中間区画の谷の径より大きい、請求項３に記載の組合せ体。
【請求項７】
該第二ステージ部分が、該第二ステージ部分に沿ってヘリカル状に延伸する少なくとも一つの混合用ねじ山を含んでいて、該少なくとも一つの混合用ねじ山が少なくとも一つのチャンネルを形成しており、該少なくとも一つのチャンネルを介して、混合された該少なくとも一つの物質が該第二ステージ部分に沿って該スクリューチップに送られている、請求項１に記載の組合せ体。
【請求項８】
該少なくとも一つの混合用ねじ山が、のこ歯状の混合用二条ねじ山である、請求項７に記載の組合せ体。
【請求項９】
該のこ歯状の混合用二条ねじ山が、１／２のピッチである、請求項８に記載の組合せ体。
【請求項１０】
該少なくとも一つの混合用ねじ山が、のこ歯状の混合用単条ねじ山である、請求項７に記載の組合せ体。
【請求項１１】
該少なくとも一つの混合用ねじ山が、単一ピッチの混合用単条ねじ山である、請求項７に記載の組合せ体。
【請求項１２】
該少なくとも一つの混合区画の一つの混合区画が、該第二端部に最隣接して設置されている、請求項１に記載の組合せ体。
【請求項１３】
該長手ボデーがほぼ円柱状である、請求項１に記載の組合せ体。
【請求項１４】
さらにスクリューチップを具備している、請求項１に記載の組合せ体。
【請求項１５】
該スクリューチップが自動閉止式スクリューチップである、請求項１４に記載の組合せ体。
【請求項１６】
該第二端部が、該スクリューチップの係合端部を受け入れるために寸法化され形成されたスクリューチップチャンネルを含んでいる、請求項１に記載の組合せ体。
【請求項１７】
該第二ステージ部分が、該混合区画と該中間区画との間に設置されたヘリカル状のワイピング区画を含んでいて、該中間区画は該第一ステージ部分と該第二ステージ部分との間に設置されている、請求項１に記載の組合せ体。
【請求項１８】
該射出成形用スクリューが、約２．０対１の圧縮比である、請求項１に記載の組合せ体。
【請求項１９】
該射出成形用スクリューが、約１．５対１〜約１．７対１の圧縮比である、請求項１に記載の組合せ体。
【請求項２０】
該射出成形用スクリューが、非ポリマー結合剤を有する供給原料を押し出すために約１．２対１〜約１．４９対１の圧縮比である、請求項１に記載の組合せ体。
【請求項２１】
該加工装置が、上流方向と下流方向とを有する少なくとも一つのバレルを備えている、請求項１に記載の組合せ体。
【請求項２２】
使用時において、該圧力保持要素が、該バレルの該ガス注入ポートの上流側に位置決めされている、請求項２１に記載の組合せ体。
【請求項２３】
該圧力保持要素が、射出又は突出しサイクルの少なくともある時間の間、該圧力保持要素を通過する少なくとも一つの物質の該上流方向への流れを制限するべく配置構成されていて、該圧力保持要素の下流側の少なくとも一つの物質の圧力を該射出又は突出しサイクルを通して少なくとも６８９５kPa（１０００psi）に維持するようになっている、請求項１に記載の組合せ体。
【請求項２４】
該圧力保持要素が、射出又は突出しサイクルの少なくともある時間の間、該圧力保持要素を通過する少なくとも一つの物質の該上流方向への流れを制限するべく配置構成されていて、該圧力保持要素の下流側の少なくとも一つの物質の圧力を該射出又は突出しサイクルを通して少なくとも１３７９０kPa（２０００psi）に維持するようになっている、請求項１に記載の組合せ体。
【請求項２５】
該圧力保持要素が、射出又は突出しサイクルの少なくともある時間の間、該圧力保持要素を通過する少なくとも一つの物質の該上流方向への流れを制限するべく配置構成されていて、該圧力保持要素の下流側の少なくとも一つの物質の圧力を該射出又は突出しサイクルを通して少なくとも２０６８４kPa（３０００psi）に維持するようになっている、請求項１に記載の組合せ体。
【請求項２６】
該圧力保持要素が、射出又は突出しサイクルの少なくともある時間の間、該圧力保持要素を通過する少なくとも一つの物質の該上流方向への流れを制限するべく配置構成されていて、該圧力保持要素の下流側の少なくとも一つの物質の圧力を少なくとも臨界圧力に維持するようになっていて、該臨界圧力は、該少なくとも一つの物質と少なくとも一つの流体との単相溶液を、該少なくとも一つの射出又は突出しサイクルを通して、維持するために必要とされるものである、請求項１に記載の組合せ体。
【請求項２７】
該射出成形用スクリューが、該射出又は突出しサイクル中に、蓄積位置と射出位置との間を往復する、請求項１に記載の組合せ体。
【請求項２８】
該圧力保持要素の下流側の少なくとも一つの物質の圧力が、該圧力保持要素の上流側の少なくとも一つの物質の圧力を上わ廻るとき、該圧力保持要素は、該圧力保持要素を通過する少なくとも一つの物質の該上流方向への流れを制限するべく配置構成されている、請求項１に記載の組合せ体。
【請求項２９】
該圧力保持要素が、該射出又は突出しサイクルの少なくともある時間の間、該少なくとも一つの物質の該上流方向への流れをほぼ防止するべく配置構成されている、請求項１に記載の組合せ体。
【請求項３０】
該圧力保持要素がバルブを備えていて、該バルブは、第一位置において、該バルブを通過する該少なくとも一つの物質の下流方向への流れを可能にし、第二位置において、該バルブを通過する該少なくとも一つの物質の上流方向への流れを制限するようになっている、請求項１に記載の組合せ体。
【請求項３１】
該バルブの下流側の該少なくとも一つの物質の圧力が、該バルブの上流側の該少なくとも一つの物質の圧力を上廻った場合、該バルブは該第一位置から該第二位置へ移動するべく配置構成されている、請求項３０に記載の組合せ体。
【請求項３２】
該バルブがばね要素を含んでいて、該ばね要素は、該バルブを該第一位置から該第二位置へ押しつけるべく付勢されている、請求項３０に記載の組合せ体。
【請求項３３】
該バルブが、該第二位置において、該弁を通過する該少なくとも一つの物質の上流方向への流れをほぼ防止するべく配置・構成されている、請求項３０に記載の組合せ体。
【請求項３４】
該バルブは、該バルブが該第一位置から該第二位置へ移動する場合のある時限の間、該バルブを通過する該少なくとも一つの物質の限定された上流方向への流れを可能にするべく配置構成されている、請求項３０に記載の組合せ体。
【請求項３５】
該射出成形用スクリューが蓄積位置と射出位置との間を往復していて、該バルブは、該射出成形用スクリューが該射出位置にある場合の少なくともある時間の間該第二位置にある、請求項３０に記載の組合せ体。
【請求項３６】
該バルブは、該射出成形用スクリューがアイドルしている場合の少なくともある時間の間該第二位置にある、請求項３０に記載の組合せ体。
【請求項３７】
該バルブがリング逆止め弁を含んでいる、請求項３０に記載の組合せ体。
【請求項３８】
該リング逆止め弁がシール面及びリングを備えていて、該リングは第一位置と第二位置との間で可動であり、該第一位置において、該リングは、該シール面と係合していなくて、従って該少なくとも一つの物質が該リングを通過して流れることを可能にしていて、該第二位置において、該リングは、該シール面と係合しており、従って該リングを通過する該少なくとも一つの物質の該上流方向への流れを防止している、請求項３７に記載の組合せ体。
【請求項３９】
該シール面が、該射出成形用スクリューの少なくとも一部を含んでいる、請求項３８に記載の組合せ体。
【請求項４０】
該遮断弁が油圧駆動式であって、そして外部ニードルを含んでいる、請求項１に記載の組合せ体。